(57)【要約】  地面係合摩耗部材が後方に伸縮自在に支持部材と嵌まり合い、摩耗部材内及び支持部材内の一直線上に整列したコネクタ開口部を貫通して伸びる特別設計のコネクタ装置により、地面係合摩耗部材が支持部材上に解放可能に保持される。このコネクタ装置は、後方へと摩耗部材に寄り掛かるスプール部材と、スプール部材から前方に間隔を空けて配置され後方傾斜面を有するシム部材と、スプール部材とシム部材の間に置かれるウェッジねじ部材とを含む。このウェッジねじ部材は、スプール部材の側面部分とねじ作用により係合する非テーパ状の本体と、シムの傾斜面領域と傾斜係合するねじ切りされていない放射状傾斜面領域とを有する。ウェッジねじ部材がねじ作用で前進すると、支持部材に対して摩耗部材が後方に動き、支持部材と摩耗部材の間で作動的に生じた嵌まり合いの緩みが締め付けられる。【選択図】図１
2015510978.tif 000002
【特許請求の範囲】
【請求項１】
支持部材と；
第１軸に沿って前記支持部材と後方に伸縮自在に嵌まり合う摩耗部材とを含み；前記支持部材及び前記摩耗部材は、前記第１軸に対して直角に横断する第２軸に沿って概ね整列している連通コネクタ開口部を有し；
コネクタ装置が前記コネクタ開口部内に設けられて、前記摩耗部材を前記支持部材上に解放可能に保持し、前記コネクタ装置は、
前記第２軸と平行して長手方向に伸びる中央本体部分と、前記摩耗部材に後方に寄り掛かる両端部分とを有するスプール部材と、
前記スプール部材から前方に間隔を空けて配置され、前記第２軸と平行して長手方向に伸び前記支持部材に前方に寄り掛かる中央本体部分と、後方に面する傾斜面が表面に付いた第１及び第２端部とを有するシム部材と、
前記スプール部材と前記シム部材の間に位置付けられ、（１）前記第２軸と平行して長手方向に伸び、前記スプール部材の前記中央本体部分の正面部分とねじ作用により係合する、ねじ切りされた非テーパ状の本体部分と、（２）前記シム部材の前記第１端部の前記傾斜面と傾斜係合するテーパ状の側面が付いた、ねじ切りされていない頭部分と、（３）前記シム部材の前記第２端部の前記傾斜面と傾斜係合するテーパ状の側面が付いた、ねじ切りされていない先部分と、を有するウェッジねじ部材とを含み、
前記ウェッジねじ部材は、前記スプール部材に対してねじ作用により前進可能であり、その結果、前記シム部材に対して前記スプール部材を後方に動かし、それにより、前記支持部材に対して前記摩耗部材を後方に動かす
地面係合アセンブリ。
【請求項２】
前記摩耗部材は、外側に伸縮自在に前記支持部材と嵌まり合う
請求項１に記載の地面係合アセンブリ。
【請求項３】
前記コネクタ装置は、前記地面係合アセンブリの残り（ｂａｌａｎｃｅ）の内側に本質的に完全に埋め込まれる
請求項２に記載の地面係合アセンブリ。
【請求項４】
前記摩耗部材はアダプタであり、
前記支持部材はバケットリップである
請求項１に記載の地面係合アセンブリ。
【請求項５】
前記スプール部材の前記中央本体部分の前記両端部分は、前記スプール部材の前記中央本体部分を横切って前記中央本体部分から後方に突出している
請求項１に記載の地面係合アセンブリ。
【請求項６】
前記摩耗部材は内部ノッチを有し、
前記スプール部材の前記中央本体部分の前記両端部分の一方は、前記内部ノッチに受け入れられるロッキング突起を有する
請求項５に記載の地面係合アセンブリ。
【請求項７】
前記スプール部材は、前記スプール部材に対する前記ウェッジねじ部材のさらなる軸方向の前進を阻止するように、前記ウェッジねじ部材の前記ねじ切りされていない頭部分の前記テーパ状の側面と相補的に係合可能な停止面を画定する前方に面した傾斜面を有する
請求項１に記載の地面係合アセンブリ。
【請求項８】
支持部材と；
後方に伸縮自在に前記支持部材と嵌まり合う摩耗部材とを含み、
前記支持部材及び前記摩耗部材は、貫通して伸びる概ね一直線上に整列したコネクタ開口部を有し、
コネクタ装置は、前記コネクタ開口部を貫通して伸び、前記摩耗部材を前記支持部材に解放可能に保持し、前記コネクタ装置は、
前記摩耗部材に後方に寄り掛かるスプール部材と、前方に面する側面部分と、
前記スプール部材から前方に間隔を空けて配置され、後方に面する傾斜面領域を有するシム部材と、
前記スプール部材と前記シム部材の間に置かれるウェッジねじ部材とを含み、前記ウェッジねじ部材は、前記ウェッジねじ部材が前記スプール部材に対してねじ作用で前進して、前記支持部材に対して前記摩耗部材を後方に動かすように、前記スプール部材の前記側面部分とねじ作用で係合する長い非テーパ状の本体部分と、前記シム部材の前記後方に面する傾斜面領域と傾斜係合するねじ切りされていない放射状傾斜面とを有する
地面係合アセンブリ。
【請求項９】
前記コネクタ装置は、前記地面係合アセンブリの残り（ｂａｌａｎｃｅ）の内側に本質的に完全に埋め込まれる
請求項８に記載の地面係合アセンブリ。
【請求項１０】
前記摩耗部材はアダプタであり、
前記支持部材はバケットリップである
請求項８に記載の地面係合アセンブリ。
【請求項１１】
前記スプール部材は、前記摩耗部材に寄り掛かる後方に突出した両端部分を有する
請求項８に記載の地面係合アセンブリ。
【請求項１２】
前記摩耗部材は内部ノッチを有し、
前記スプール部材の前記両端部分の一方は、前記内部ノッチに受け入れられるロッキング突起を有する
請求項１１に記載の地面係合アセンブリ。
【請求項１３】
前記ウェッジねじ部材は、放射状に拡大した頭部分を有し、
前記スプール部材は、前記スプール部材に対する前記ウェッジねじのさらなる軸方向の前進を阻止するように、前記頭部分と係合可能な停止面を有する
請求項８に記載の地面係合アセンブリ。
【請求項１４】
前記ウェッジねじ部材は、前記ウェッジねじ部材の前記放射状傾斜面を画定する側面領域を有するねじ切りされていない頭部分及び先部分を有する
請求項８に記載の地面係合アセンブリ。
【請求項１５】
地面係合摩耗部材が後方へと伸縮自在に嵌め合わされた支持部材に、前記摩耗部材を解放可能に保持する際に用いるコネクタ装置であって、前記伸縮自在に嵌め合わされた摩耗部材と支持部材は、概ね一直線上に貫通して伸びるコネクタ開口部を有し、前記コネクタ装置は、前記コネクタ開口部に挿入可能であり、前記コネクタ装置は、
前記摩耗部材へと後方に寄り掛かるように位置付けることのできるスプール部材と、
傾斜面領域を有し、前記スプール部材に対し前方に間隔を空けた関係で位置付けることができ、前記傾斜面領域が前記スプール部材に面した状態で前記支持部材へと前方に寄り掛かるシム部材と、
前記スプール部材と前記シム部材の間に配置可能なウェッジねじ部材とを含み、前記ウェッジねじ部材は、前記ウェッジねじ部材が前記スプール部材に対してねじ作用により前進して、前記支持部材に対して前記摩耗部材を後方に動かし、それにより前記支持部材上の前記摩耗部材を調整可能に締め付けるように、ねじ作用により前記スプール部材と係合する長い非テーパ状のねじ切りされた本体部分と、前記シム部材の前記傾斜面領域と傾斜係合するねじ切りされていない放射状傾斜面領域とを有する
コネクタ装置。
【請求項１６】
前記コネクタ装置は、前記伸縮自在の摩耗部材及び支持部材の内部に本質的に完全に埋め込まれるようなサイズ及び構成にされる
請求項１５に記載のコネクタ装置。
【請求項１７】
前記スプール部材は長い中央本体部分を有し、前記中央本体部分から横断方向に両端部分が後方に突出している
請求項１５に記載のコネクタ装置。
【請求項１８】
前記スプール部材の前記両端部分の一方は、表面にロッキング突起を有する
請求項１８に記載のコネクタ装置。
【請求項１９】
前記ウェッジねじ部材は、放射状に拡大した頭部分を有し、
前記スプール部材は、前記スプール部材に対する前記ウェッジねじ部材のさらなる軸方向の前進を阻止するように、前記頭部分と接触する位置及び構成にされた停止部材を有する
請求項１５に記載のコネクタ装置。
【請求項２０】
前記ウェッジねじ部材は、前記ウェッジねじ部材の前記放射状傾斜面を画定する側面領域を有するねじ切りされていない頭部分及び先部分を有する
請求項１５に記載のコネクタ装置。
【発明の詳細な説明】
【技術分野】
【０００１】
本発明は、概して地面係合装置（例えば掘削及び採掘作業で使われる地面係合装置）に関し、より特定的には、代表的に図解されている本発明の実施形態において、地面係合摩耗部材（例えばアダプタ）を支持部材（例えば掘削用バケットリップ）上に解放可能に保持するための、特別に設計されたコネクタ装置に関する。
【背景技術】
【０００２】
地面係合摩耗部材は通常、関連する支持部材へと後方に伸縮自在に嵌まり合い、摩耗部材と支持部材の重なり部分を貫通して形成される整列したコネクタ開口部を貫通して伸びるコネクタ構造物を用いることにより、支持部材上に解放可能に保持される。このようなコネクタ構造物の一般に利用されている形態は、一直線上に整列したコネクタ開口部に配置する必要のある個別のウェッジ及びスプール部材を含む。このようなスプール及びウェッジ型コネクタ構造物の多くに共通して関連する短所は、主に２つある。第一に、このようなウェッジ及びスプールコネクタ構造物の場合、スプールをコネクタ開口部に挿入した後、ウェッジを所定位置へと強く打ち付けて強制的にスプールと係合させなければならない。これによりスプール及びウェッジがコネクタ開口部内の所定位置にロックされ、摩耗部材が支持部材から前方に外れることが防止される。第二に、最初に設置されたウェッジ及びスプールは摩耗部材を支持部材上に緊密に保持するが、通常は摩耗部材／支持部材アセンブリが高い操作力を支えるので、簡便な締め直し方法がないまま、この嵌まり合いが不要に緩むことがある。
【発明の概要】
【発明が解決しようとする課題】
【０００３】
上記から分かるように、上記で略述したタイプの従来型ウェッジ及びスプール構造物が呈する上記短所を軽減する、改善された摩耗部材／支持部材コネクタ構造が必要とされている。したがって、このようなコネクタ構造を提供することが本発明の主たる目標である。
【図面の簡単な説明】
【０００４】
【図１】本発明の原理を具現する特別設計のねじ調整可能なコネクタ装置により、摩耗部材（典型的にはアダプタ）が掘削用バケットリップの前縁部分に伸縮自在の関係で取外し可能に固定された、当該前縁部分の上面図である。
【図２】図１の概ね２−２を切断線とする、バケットリップ部分を通る断面図である。
【図３】伸縮自在の摩耗部材及びバケットリップから取り外されたコネクタ装置の斜視図である。
【図４】図３に示すコネクタ装置の分解斜視図である。
【発明を実施するための形態】
【０００５】
詳細な説明
添付の図１〜４に示す通り、本発明は、図１及び２に示すように伸縮自在の関係で、摩耗部材１２（典型的にはアダプタ）を支持構造物１４（典型的には掘削用バケットリップ）上に解放可能に保持するために使われる特別設計のコネクタ装置１０を提供する。コネクタ装置１０は、スプール１６と、非テーパ状ねじ１８の形態のウェッジと、垂直方向に長いドライブシム部材２０とを含む。
【０００６】
設置後のアダプタ１２は、水平軸Ａ１に沿って長手方向に伸び、バケットリップ１４の前縁部分２６の上側と下側に沿ってそれぞれ後方に伸びる上下のレッグ２２、２４を有する。レッグ２２、２４はそれぞれ、一直線上に並ぶコネクタ開口部２８、３０を有し、これらのコネクタ開口部は、バケットリップ前縁部分２６を通って伸びるコネクタ開口部３２と、垂直軸Ａ２に沿って概ね一直線上に整列する。コネクタ装置１０は、図２の断面図で示すように、一直線上に整列したコネクタ開口部２８、３０、３２の中に設置され、設置後のアダプタ１２をバケットリップ１４上に解放可能に保持するように機能して、図１及び図２に示す摩耗部材／支持部材アセンブリを形成し、ここでねじ１８は、後述するように回転可能であり、アダプタ１２をリップ１４上に後方に締め付けることにより、これらの２つのコンポーネント間の運転摩耗を埋め合わせる。
【０００７】
ねじ１８は、非テーパ状のねじ切りされた本体部分３４と、下向き且つ内向きのテーパ状側面３８を有するねじ切りされていない頭３６と、下向き且つ内向きのテーパ状側面４２を有するねじ切りされていないねじ先４０とを有する。スプール１６は、非テーパ状のねじ本体部分３４のねじ山と嵌合可能なねじ切りされた正面４６を有する縦型本体４４と、後方に伸びる上下の端部突起４８、５０とを有する。下端部突起５０から上向きにロッキング突起５２が伸びている。ドライブシム部材２０は、垂直方向に長い本体部分５４を有し、本体部分５４は、その上端にそれぞれ設けられた後方且つ下向きに傾斜するドライブ面５６、５８を有する。
【０００８】
コネクタ装置１０が作動的に設置された状態では（図２参照）、ねじ１８は、スプール１６とドライブシム部材２０の間に設けられ、このとき、ねじ頭のテーパ状側面３８は、テーパ状のシムドライブ面５６と相補的且つスライド式に係合し、ねじ先のテーパ状側面４２は、傾斜したテーパ状のシムドライブ面５８と相補的且つスライド式に係合している。ねじ本体３４は、スプール１６のねじ切りされた正面４６とねじ作用により係合する（ただし、シム部材２０とはねじ作用で係合しない）。図２に最も的確に示される通り、スプール１６の端部突起５２は、アダプタの下側レッグ２４の対応するノッチ６０にロックして受け入れられる。
【０００９】
ねじ頭３６の上面にある非円形のドライブ開口部６２（典型的には正方形であるが、六角形等の別の非円形構成でもよい）を用いることにより、設置済みねじ１８がねじ作用により（下向きに）前進でき、それにより、傾斜したねじ／シム部材支持面のペア３８、５６及び４２、５８がシム部材２０に対してスプール１６を後方に動かし、それにより、アダプタ１２をバケットリップ１４に対して後方に動かして、アダプタ１２をバケットリップ１４上に締め付ける。スプール１２の上端部４８に隣接して、ねじ頭３６のテーパ状側面３８に平行して伸びる前方下向きに傾斜した当接面６３がスプール正面に設けられているので、ねじ１８の全体の下向き前進量が制限される。上記から分かるように、表面６３は、ねじ頭３６の下向き停止面として機能する。
【００１０】
アダプタ１２及びリップ前縁部分２６が図２の伸縮自在の向きにある状態で、最初にスプール１６及びドライブシム部材２０を、図２に示すアダプタ及びリップの開口部２８、３０、３２内にそれぞれの向きで配置し、スプールのロッキング突起５２がスプールの内部下側レッグノッチに受け入れられ、ドライブシム部材２０の上側端部の底面６４がリップ１４の上部側面に載ることにより、コネクタ装置１０が設置される。次に、ねじ又はウェッジ１８がスプール１６とシム２０の間に挿入され、ねじ作用により下向きに前進して、図２に示すリップ１４に対する初期締め付け位置までアダプタ１２を後方に動かす。
【００１１】
スプール１６がこの最初の後方位置にあるとき、スプール１６の縦型本体４４は、コネクタ開口部３２の後方側面から少量の距離Ｄだけ前方に位置する。運転摩耗によりアダプタ１２とリップ１４の間の前方後方間の「嵌め合い」が緩んだ場合は、ねじ１８をさらに締めることにより、アダプタ１２をリップ１４に沿ってさらに後方に動かすことができる。上記から分かるように、アダプタ１２が後方に距離Ｄを移動してスプール本体４４がコネクタ開口部３２の後方側面に突き当たるまで、上記のような後方への締め付けを連続的に実施できる。
【００１２】
上記から分かるように、代表的に図解されている実施形態のコネクタ装置１０は、単純で頑丈な構造であり、アダプタ１２とバケットリップ１４の間で、信頼性があり締め付け可能な伸縮自在の接続を可能にする。コネクタ装置１０は、ウェッジ部分１８を強く打ち付けてアダプタ／リップアセンブリに出し入れする必要なしに、設置と取外しを安全に行うことができ、設置後のコネクタ装置１０は、アダプタ１２から外側への目立った出張りがまったくないので、アダプタ１２を運転摩損から遮蔽する。さらに、ねじ１８に簡単にアクセスできるので、必要なときにアダプタの位置調整ができる。
【００１３】
コネクタ装置１０は、アダプタをバケットリップに解放可能に接続するために使用するものとして図解されているが、地面係合に従事する当業者であれば、コネクタ装置１０を有利に利用して、他の種類の支持構造物（例えばアダプタ）と伸縮自在の関係にある他の種類の摩耗部材（例えば交換可能な刃先）を解放可能に保持できることを容易に認識するであろう。
【００１４】
上記の詳細説明は単なる図解及び例示の目的で示されていることを明確に理解すべきであり、本発明の精神及び範囲は添付の請求項によってのみ限定される。
【図１】
2015510978.tif 000003
【図２】
2015510978.tif 000004
【図３】
2015510978.tif 000005
【図４】
2015510978.tif 000006
【国際調査報告】
2015510978.tif 000007